(57)【要約】【課題】特定の記録方式で記録媒体に記録された情報を保護することができる記録方法を提供する。【解決手段】記録媒体に適用可能な複数の記録方式のうちの特定の記録方式での記録要求に応じて、複数の記録方式のうちの特定の記録方式を除く少なくとも１つの記録方式での記録を制限する制限情報が記録媒体の所定領域に記録される（ステップ４０１〜４０７）。それにより、記録が制限された記録方式でのデータの記録要求があっても、そのデータの記録要求は制限されるため、特定の記録方式で記録されているデータが別のデータで上書きされることを防止することができる。【選択図】　図４
2004005842.tif 000002
【特許請求の範囲】
【請求項１】
記録媒体に情報を記録する記録方法であって、
前記記録媒体に適用可能な複数の記録方式のうちの特定の記録方式での記録要求に応じて、前記複数の記録方式のうちの前記特定の記録方式を除く少なくとも１つの記録方式での記録を制限する制限情報を前記記録媒体の所定領域に記録する第１工程を含む記録方法。
【請求項２】
前記特定の記録方式は、前記記録を制限された記録方式との互換性を有する記録方式であることを特徴とする請求項１に記載の記録方法。
【請求項３】
前記特定の記録方式は、前記記録を制限された記録方式のうちの一つの記録方式に、記録媒体の欠陥に関する情報を管理する欠陥情報管理機能が付加された記録方式であることを特徴とする請求項１又は２に記載の記録方法。
【請求項４】
前記特定の記録方式はＤＶＤ＋ＲＷのマウントレニア規格に準拠した記録方式であり、前記情報を制限された記録方式はＤＶＤ＋ＲＷ規格に準拠した記録方式を含むことを特徴とする請求項１〜３のいずれか一項に記載の記録方法。
【請求項５】
前記所定領域は、フォーマッティング・ディスク・コントロール・ブロックの領域であることを特徴とする請求項４に記載の記録方法。
【請求項６】
前記フォーマッティング・ディスク・コントロール・ブロックは、コンテントディスクリプタ及びアンノウン・コンテントディスクリプタ・アクションズを含み、
前記第１工程では、前記コンテントディスクリプタにフォーマッティング・ディスク・コントロール・ブロックを示すＩＤ情報以外のＩＤ情報を記録するとともに、前記アンノウン・コンテントディスクリプタ・アクションズにデータの記録を制限する情報を記録することを特徴とする請求項５に記載の記録方法。
【請求項７】
前記データの記録を制限する情報は、データ記録を全面的に禁止する情報であることを特徴とする請求項６に記載の記録方法。
【請求項８】
前記データの記録を制限する情報は、フォーマット以外のデータ記録処理を禁止する情報であることを特徴とする請求項６に記載の記録方法。
【請求項９】
前記第１工程に続いて、フォーマットの進捗状況に関係なくフォーマットが完了したことを示すフォーマット情報を記録する第２工程を更に含むことを特徴とする請求項１〜８のいずれか一項に記載の記録方法。
【請求項１０】
前記第２工程では、前記記録媒体におけるフォーマッティング・ディスク・コントロール・ブロックの領域に前記フォーマット情報を記録することを特徴とする請求項９に記載の記録方法。
【請求項１１】
請求項１〜１０のいずれか一項に記載の記録方法によって前記制限情報が記録された記録媒体。
【請求項１２】
記録媒体に情報を記録する情報記録装置に用いられるプログラムであって、
外部からの要求に応じて、前記記録媒体に適用可能な複数の記録方式のうちの特定の記録方式を除く少なくとも１つの記録方式での記録を制限する制限情報を前記記録媒体の所定領域に記録する手順；を前記情報記録装置の制御用コンピュータに実行させるプログラム。
【請求項１３】
前記制限情報を記録する手順に続いて、フォーマットの進捗状況に関係なくフォーマットが完了したことを示す完了情報を記録する手順を前記制御用コンピュータに更に実行させることを特徴とする請求項１２に記載のプログラム。
【請求項１４】
前記特定の記録方式はＤＶＤ＋ＲＷのマウントレニア規格に準拠した記録方式であることを特徴とする請求項１２又は１３に記載のプログラム。
【請求項１５】
前記所定領域は、フォーマッティング・ディスク・コントロール・ブロックの領域であることを特徴とする請求項１４に記載のプログラム。
【請求項１６】
前記フォーマッティング・ディスク・コントロール・ブロックは、コンテントディスクリプタ及びアンノウン・コンテントディスクリプタ・アクションズを含み、
前記制限情報を記録する手順として、前記コンテントディスクリプタにフォーマッティング・ディスク・コントロール・ブロックを示すＩＤ情報以外のＩＤ情報を記録する手順と、前記アンノウン・コンテントディスクリプタ・アクションズにデータの記録を制限する情報を記録する手順とを前記制御用コンピュータに実行させることを特徴とする請求項１５に記載のプログラム。
【請求項１７】
前記データの記録を制限する情報は、データ記録を全面的に禁止する情報であることを特徴とする請求項１６に記載のプログラム。
【請求項１８】
前記データの記録を制限する情報は、フォーマット以外のデータ記録処理を禁止する情報であることを特徴とする請求項１６に記載のプログラム。
【請求項１９】
請求項１２〜１８のいずれか一項に記載のプログラムが記録されたコンピュータ読み取り可能な情報記録媒体。
【請求項２０】
記録媒体に情報を記録する情報記録装置であって、
外部装置との通信を制御する通信制御手段と；
該通信制御手段を介した外部装置からの特定の記録方式でのフォーマット要求に応じて、前記記録媒体に適用可能な複数の記録方式のうちの前記特定の記録方式を除く少なくとも１つの記録方式での記録を制限する制限情報を前記記録媒体の所定領域に記録する制限情報記録手段と；を備える情報記録装置。
【請求項２１】
前記制限情報記録手段での制限情報の記録に続いて、フォーマットの進捗状況に関係なくフォーマットが完了したことを示す完了情報を記録する完了情報記録手段を更に備えることを特徴とする請求項２０に記載の情報記録装置。
【請求項２２】
前記特定の記録方式は、前記記録が制限された記録方式との互換性を有する記録方式であることを特徴とする請求項２０又は２１に記載の情報記録装置。
【請求項２３】
前記特定の記録方式は、前記記録が制限された記録方式のうちの１つの記録方式に、記録媒体の欠陥に関する情報を管理する欠陥情報管理機能が付加された記録方式であることを特徴とする請求項２０〜２２のいずれか一項に記載の情報記録装置。
【請求項２４】
前記特定の記録方式はＤＶＤ＋ＲＷのマウントレニア規格に準拠した記録方式であり、前記記録が制限された記録方式はＤＶＤ＋ＲＷ規格に準拠した記録方式を含むことを特徴とする請求項２０〜２３のいずれか一項に記載の情報記録装置。
【請求項２５】
前記所定領域は、フォーマッティング・ディスク・コントロール・ブロックの領域であることを特徴とする請求項２４に記載の情報記録装置。
【請求項２６】
前記フォーマッティング・ディスク・コントロール・ブロックは、コンテントディスクリプタ及びアンノウン・コンテントディスクリプタ・アクションズを含み、
前記制限情報記録手段は、前記コンテントディスクリプタにフォーマッティング・ディスク・コントロール・ブロックを示すＩＤ情報以外のＩＤ情報を記録するとともに、前記アンノウン・コンテントディスクリプタ・アクションズにデータの記録を制限する情報を記録することを特徴とする請求項２５に記載の情報記録装置。
【請求項２７】
前記データの記録を制限する情報は、データ記録を全面的に禁止する情報であることを特徴とする請求項２６に記載の情報記録装置。
【請求項２８】
前記データの記録を制限する情報は、フォーマット以外のデータ記録処理を禁止する情報であることを特徴とする請求項２６に記載の情報記録装置。
【発明の詳細な説明】
【０００１】
【発明の属する技術分野】
本発明は、記録方法、記録媒体、プログラム及び情報記録媒体、並びに情報記録装置に係り、更に詳しくは、記録媒体に情報を記録する記録方法、該記録方法によって記録された記録媒体、情報記録装置で用いられるプログラム及び該プログラムが記録された情報記録媒体、並びに記録媒体に情報を記録する情報記録装置に関する。
【０００２】
【従来の技術】
パーソナルコンピュータ（以下「パソコン」と略述する）は、その機能が向上するに伴い、音楽や映像といったＡＶ（Ａｕｄｉｏ−Ｖｉｓｕａｌ）情報を取り扱うことが可能となってきた。これらＡＶ情報の情報量は非常に大きいために、記録媒体としてＣＤ（ｃｏｍｐａｃｔ　ｄｉｓｃ）やＤＶＤ（ｄｉｇｉｔａｌ　ｖｅｒｓａｔｉｌｅ　ｄｉｓｃ）などの大容量の光ディスクが注目されるようになり、その低価格化とともに、光ディスクをアクセスするためのドライブ装置として光ディスク装置がパソコンの周辺機器の一つとして普及するようになった。
【０００３】
また、情報の種類が多岐に亘るにつれて光ディスクの種類が増加し、例えば、ＣＤ系の光ディスクとしては、ＣＤ−ＲＯＭ、ＣＤ−Ｒ（ＣＤ−ｒｅｃｏｒｄａｂｌｅ）及びＣＤ−ＲＷ（ＣＤ−ｒｅｗｒｉｔａｂｌｅ）などが存在し、ＤＶＤ系の光ディスクとしては、ＤＶＤ−ＲＯＭ、ＤＶＤ−ＲＡＭ、ＤＶＤ−Ｒ（ＤＶＤ−ｒｅｃｏｒｄａｂｌｅ）、ＤＶＤ−ＲＷ（ＤＶＤ−ｒｅｗｒｉｔａｂｌｅ）、ＤＶＤ＋Ｒ（ＤＶＤ＋ｒｅｃｏｒｄａｂｌｅ）及びＤＶＤ＋ＲＷ（ＤＶＤ＋ｒｅｗｒｉｔａｂｌｅ）などが存在している。そして、それぞれ所定の規格等に基づいてデータの記録及び再生が行われている。
【０００４】
また、光ディスクの普及に伴う操作性の向上要求に対して、マウントレニア（Ｍｔ．　Ｒａｉｎｉｅｒ）規格が提唱され、ＣＤ−ＲＷのマウントレニア規格としてＣＤ−ＭＲＷ規格が公表されている。マウントレニア規格では、パソコンのディスプレイに表示されている光ディスク装置のアイコンに対して、ファイルをドラッグアンドドロップ操作することにより直ちに光ディスクへの記録が開始されるようになっている。さらに、マウントレニア規格は、光ディスクの欠陥領域及びその交替領域に関する情報（以下「欠陥管理情報」という）などを管理する欠陥管理機能を備えている。これにより、例えば指定されたデータの記録領域に欠陥領域が含まれるときは、そのデータは自動的に対応する交替領域に記録される。
【０００５】
【発明が解決しようとする課題】
ＣＤ−ＲＷと同様に書き換え可能な光ディスクとして、ＤＶＤ＋ＲＷがある。そして、ＤＶＤ＋ＲＷに対しても、操作性の向上及び欠陥管理機能の付与を目的としてＤＶＤ＋ＲＷのマウントレニア規格が策定されつつある。
【０００６】
マウントレニア規格の特徴の一つは、欠陥管理情報が記録される欠陥管理領域と交替領域とをデータ領域内に配置したことにある。これにより、マウントレニア規格に対応した光ディスク（以下、便宜上「対応ディスク」ともいう）がマウントレニア規格をサポートしていないドライブ装置（以下、便宜上「従来ドライブ装置」ともいう）にセットされた場合であっても、上位装置（例えばパソコン）に専用のドライバを組み込むことにより、欠陥管理領域及び交替領域をアクセスすることが可能となる。そして、例えば欠陥領域を避けてユーザデータを記録することができる。
【０００７】
しかしながら、上位装置に専用のドライバが組み込まれていない場合には、従来ドライブ装置にセットされた光ディスクは、対応ディスクであっても、マウントレニア規格に対応していない光ディスク（以下、便宜上「未対応ディスク」ともいう）とみなされる。そのために、従来ドライブ装置を用いて対応ディスクにユーザデータの記録を行うと、欠陥管理情報を無視した記録が行われ、例えば欠陥領域にユーザデータが記録されると、欠陥管理情報の内容と実際とが一致しなくなる場合があるという不都合があった。さらに、書き換え可能な光ディスクでは、欠陥管理領域にユーザデータが上書きされるおそれがあるという不都合もあった。
【０００８】
本発明は、かかる事情の下になされたもので、その第１の目的は、特定の記録方式で記録媒体に記録された情報を保護することができる記録方法及び記録媒体を提供することにある。
【０００９】
また、本発明の第２の目的は、情報記録装置の制御用コンピュータにて実行され、特定の記録方式で記録媒体に記録された情報を保護することができるプログラム及びそのプログラムが記録された情報記録媒体を提供することにある。
【００１０】
また、本発明の第３の目的は、特定の記録方式で記録媒体に記録された情報を保護することができる情報記録装置を提供することにある。
【００１１】
【課題を解決するための手段】
請求項１に記載の発明は、記録媒体に情報を記録する記録方法であって、前記記録媒体に適用可能な複数の記録方式のうちの特定の記録方式での記録要求に応じて、前記複数の記録方式のうちの前記特定の記録方式を除く少なくとも１つの記録方式での記録を制限する制限情報を前記記録媒体の所定領域に記録する第１工程を含む記録方法である。
【００１２】
これによれば、記録媒体に適用可能な複数の記録方式のうちの特定の記録方式での記録要求に応じて、第１工程により、複数の記録方式のうちの特定の記録方式を除く少なくとも１つの記録方式での記録を制限する制限情報が記録媒体の所定領域に記録される。そこで、記録が制限された記録方式でのデータの記録要求があっても、そのデータの記録要求は制限されるため、例えば特定の記録方式で記録されているデータに別のデータが上書きされることを防止することができる。従って、結果的に特定の記録方式で記録媒体に記録された情報を保護することが可能となる。
【００１３】
この場合において、請求項２に記載の記録方法の如く、前記特定の記録方式は、前記記録を制限された記録方式との互換性を有する記録方式であることとすることができる。
【００１４】
上記請求項１及び２に記載の各記録方法において、請求項３に記載の記録方法の如く、前記特定の記録方式は、前記記録を制限された記録方式のうちの一つの記録方式に、記録媒体の欠陥に関する情報を管理する欠陥情報管理機能が付加された記録方式であることとすることができる。かかる場合には、例えば記録媒体の欠陥に関する情報がユーザデータで上書きされることを防止することができる。
【００１５】
上記請求項１〜３に記載の各記録方法において、請求項４に記載の記録方法の如く、前記特定の記録方式はＤＶＤ＋ＲＷのマウントレニア規格に準拠した記録方式であり、前記情報を制限された記録方式はＤＶＤ＋ＲＷ規格に準拠した記録方式を含むこととすることができる。
【００１６】
この場合において、請求項５に記載の記録方法の如く、前記所定領域は、フォーマッティング・ディスク・コントロール・ブロックの領域であることとすることができる。
【００１７】
この場合において、請求項６に記載の記録方法の如く、前記フォーマッティング・ディスク・コントロール・ブロックは、コンテントディスクリプタ及びアンノウン・コンテントディスクリプタ・アクションズを含み、前記第１工程では、前記コンテントディスクリプタにフォーマッティング・ディスク・コントロール・ブロックを示すＩＤ情報以外のＩＤ情報を記録するとともに、前記アンノウン・コンテントディスクリプタ・アクションズにデータの記録を制限する情報を記録することとすることができる。
【００１８】
この場合において、請求項７に記載の記録方法の如く、前記データの記録を制限する情報は、データ記録を全面的に禁止する情報であることとすることができる。あるいは、請求項８に記載の記録方法の如く、前記データの記録を制限する情報は、フォーマット以外のデータ記録処理を禁止する情報であることとすることができる。
【００１９】
上記請求項１〜８に記載の各記録方法において、請求項９に記載の記録方法の如く、前記第１工程に続いて、フォーマットの進捗状況に関係なくフォーマットが完了したことを示すフォーマット情報を記録する第２工程を更に含むこととすることができる。かかる場合には、記録が制限されている記録方式でのフォーマット要求があっても、そのフォーマット要求は拒否されるため、例えば特定の記録方式で記録されているデータがダミーデータで上書きされることを防止することができる。
【００２０】
この場合において、請求項１０に記載の記録方法の如く、前記第２工程では、前記記録媒体におけるフォーマッティング・ディスク・コントロール・ブロックの領域に前記フォーマット情報を記録することとすることができる。
【００２１】
請求項１１に記載の発明は、請求項１〜１０のいずれか一項に記載の記録方法によって前記制限情報が記録された記録媒体である。
【００２２】
これによれば、請求項１〜１０のいずれか一項に記載の記録方法によって制限情報が記録されているために、特定の記録方式で記録される情報を保護することが可能となる。
【００２３】
請求項１２に記載の発明は、記録媒体に情報を記録する情報記録装置に用いられるプログラムであって、外部からの要求に応じて、前記記録媒体に適用可能な複数の記録方式のうちの特定の記録方式を除く少なくとも１つの記録方式での記録を制限する制限情報を前記記録媒体の所定領域に記録する手順；を前記情報記録装置の制御用コンピュータに実行させるプログラムである。
【００２４】
これによれば、外部からの要求に応じて、記録媒体に適用可能な複数の記録方式のうちの特定の記録方式を除く少なくとも１つの記録方式での記録を制限する制限情報が記録媒体の所定領域に記録される。そこで、記録が制限されている記録方式でのデータの記録要求があっても、そのデータの記録要求は制限されるため、例えば特定の記録方式で記録されているデータに別のデータが上書きされることを防止することができる。従って、結果的に特定の記録方式で記録媒体に記録された情報を保護することが可能となる。
【００２５】
この場合において、請求項１３に記載のプログラムの如く、前記制限情報を記録する手順に続いて、フォーマットの進捗状況に関係なくフォーマットが完了したことを示す完了情報を記録する手順を前記制御用コンピュータに更に実行させることとすることができる。かかる場合には、記録が制限されている記録方式でのフォーマット要求があっても、そのフォーマット要求は拒否されるため、例えば特定の記録方式で記録されているデータがダミーデータで上書きされることを防止することができる。
【００２６】
上記請求項１２及び１３に記載の各プログラムにおいて、請求項１４に記載のプログラムの如く、前記特定の記録方式はＤＶＤ＋ＲＷのマウントレニア規格に準拠した記録方式であることとすることができる。かかる場合には、例えば記録媒体の欠陥に関する情報がユーザデータによって上書きされることを防止することが可能となる。
【００２７】
この場合において、請求項１５に記載のプログラムの如く、前記所定領域は、フォーマッティング・ディスク・コントロール・ブロックの領域であることとすることができる。
【００２８】
この場合において、請求項１６に記載のプログラムの如く、前記フォーマッティング・ディスク・コントロール・ブロックは、コンテントディスクリプタ及びアンノウン・コンテントディスクリプタ・アクションズを含み、前記制限情報を記録する手順として、前記コンテントディスクリプタにフォーマッティング・ディスク・コントロール・ブロックを示すＩＤ情報以外のＩＤ情報を記録する手順と、前記アンノウン・コンテントディスクリプタ・アクションズにデータの記録を制限する情報を記録する手順とを前記制御用コンピュータに実行させることとすることができる。
【００２９】
この場合において、請求項１７に記載のプログラムの如く、前記データの記録を制限する情報は、データ記録を全面的に禁止する情報であることとすることができる。あるいは、請求項１８に記載のプログラムの如く、前記データの記録を制限する情報は、フォーマット以外のデータ記録処理を禁止する情報であることとすることができる。
【００３０】
請求項１９に記載の発明は、請求項１２〜１８のいずれか一項に記載のプログラムが記録されたコンピュータ読み取り可能な情報記録媒体である。
【００３１】
これによれば、請求項１２〜１８のいずれか一項に記載のプログラムが記録されているために、コンピュータに実行させることにより、特定の記録方式で記録媒体に記録された情報を保護することが可能となる。
【００３２】
請求項２０に記載の発明は、記録媒体に情報を記録する情報記録装置であって、外部装置との通信を制御する通信制御手段と；該通信制御手段を介した外部装置からの特定の記録方式でのフォーマット要求に応じて、前記記録媒体に適用可能な複数の記録方式のうちの前記特定の記録方式を除く少なくとも１つの記録方式での記録を制限する制限情報を前記記録媒体の所定領域に記録する制限情報記録手段と；を備える情報記録装置である。
【００３３】
これによれば、外部装置からの特定の記録方式でのフォーマット要求に応じて、制限情報記録手段により、複数の記録方式のうちの特定の記録方式を除く少なくとも１つの記録方式での記録を制限する制限情報が記録媒体の所定領域に記録される。そこで、記録が制限されている記録方式でのデータ記録要求があっても、そのデータ記録要求は制限されるため、例えば特定の記録方式で記録されているデータに別のデータが上書きされることを防止することができる。従って、結果的に特定の記録方式で記録媒体に記録された情報を保護することが可能となる。
【００３４】
この場合において、請求項２１に記載の情報記録装置の如く、前記制限情報記録手段での制限情報の記録に続いて、フォーマットの進捗状況に関係なくフォーマットが完了したことを示す完了情報を記録する完了情報記録手段を更に備えることとすることができる。かかる場合には、記録が制限されている記録方式でのフォーマット要求があっても、そのフォーマット要求は拒否されるため、例えば特定の記録方式で記録されているデータがダミーデータで上書きされることを防止することができる。
【００３５】
上記請求項２０及び２１に記載の各情報記録装置において、請求項２２に記載の情報記録装置の如く、前記特定の記録方式は、前記記録が制限された記録方式との互換性を有する記録方式であることとすることができる。
【００３６】
上記請求項２０〜２２に記載の各情報記録装置において、請求項２３に記載の情報記録装置の如く、前記特定の記録方式は、前記記録が制限された記録方式のうちの１つの記録方式に、記録媒体の欠陥に関する情報を管理する欠陥情報管理機能が付加された記録方式であることとすることができる。かかる場合には、例えば記録媒体の欠陥に関する情報が別のデータで上書きされることを防止することができる。
【００３７】
上記請求項２０〜２３に記載の各情報記録装置において、請求項２４に記載の情報記録装置の如く、前記特定の記録方式はＤＶＤ＋ＲＷのマウントレニア規格に準拠した記録方式であり、前記記録が制限された記録方式はＤＶＤ＋ＲＷ規格に準拠した記録方式を含むこととすることができる。
【００３８】
この場合において、請求項２５に記載の情報記録装置の如く、前記所定領域は、フォーマッティング・ディスク・コントロール・ブロックの領域であることとすることができる。
【００３９】
この場合において、請求項２６に記載の情報記録装置の如く、前記フォーマッティング・ディスク・コントロール・ブロックは、コンテントディスクリプタ及びアンノウン・コンテントディスクリプタ・アクションズを含み、前記制限情報記録手段は、前記コンテントディスクリプタにフォーマッティング・ディスク・コントロール・ブロックを示すＩＤ情報以外のＩＤ情報を記録するとともに、前記アンノウン・コンテントディスクリプタ・アクションズにデータの記録を制限する情報を記録することとすることができる。
【００４０】
この場合において、請求項２７に記載の情報記録装置の如く、前記データの記録を制限する情報は、データ記録を全面的に禁止する情報であることとすることができる。あるいは、請求項２８に記載の情報記録装置の如く、前記データの記録を制限する情報は、フォーマット以外のデータ記録処理を禁止する情報であることとすることができる。
【００４１】
【発明の実施の形態】
以下、本発明の一実施形態を図１〜図８に基づいて説明する。
【００４２】
図１には、本発明に係る光ディスク装置の概略構成が示されている。
【００４３】
この図１に示される光ディスク装置２０は、記録媒体としての光ディスク１５を回転駆動するためのスピンドルモータ２２、光ピックアップ装置２３、レーザコントロール回路２４、エンコーダ２５、モータドライバ２７、再生信号処理回路２８、サーボコントローラ３３、バッファＲＡＭ３４、バッファマネージャ３７、インターフェース３８、情報記録媒体としてのＲＯＭ３９、ＣＰＵ４０及びＲＡＭ４１などを備えている。なお、図１における矢印は、代表的な信号や情報の流れを示すものであり、各ブロックの接続関係の全てを表すものではない。
【００４４】
また、本実施形態では、光ディスク１５としてＤＶＤ＋ＲＷのマウントレニア規格（以下「ＤＶＤ＋ＭＲＷ規格」ともいう）に対応した記録媒体が用いられるものとする。さらに、光ディスク装置２０はＤＶＤ＋ＭＲＷ規格をサポートしているものとする。
【００４５】
前記光ピックアップ２３は、光源としての半導体レーザ、該半導体レーザから出射される光束を光ディスク１５の記録面に導くとともに、前記記録面で反射された戻り光束を所定の受光位置まで導く光学系、前記受光位置に配置され戻り光束を受光する受光器、及び駆動系（フォーカシングアクチュエータ、トラッキングアクチュエータ及びシークモータ）（いずれも図示省略）などを含んで構成されている。そして、受光器からは、その受光量に応じた信号が再生信号処理回路２８に出力される。
【００４６】
前記再生信号処理回路２８は、光ピックアップ装置２３の受光器からの出力信号に基づいてウォブル信号、ＲＦ信号及びサーボ信号（フォーカスエラー信号、トラックエラー信号）などを検出する。そして、再生信号処理回路２８では、ウォブル信号からＡＤＩＰ（Ａｄｄｒｅｓｓ　Ｉｎ　Ｐｒｅｇｒｏｏｖｅ）情報及び同期信号等を抽出する。ここで抽出されたＡＤＩＰ情報はＣＰＵ４０に出力され、同期信号はエンコーダ２５に出力される。さらに、再生信号処理回路２８では、ＲＦ信号に対して誤り訂正処理等を行なった後、バッファマネージャ３７を介してバッファＲＡＭ３４に格納する。また、サーボ信号は再生信号処理回路２８からサーボコントローラ３３に出力される。
【００４７】
前記サーボコントローラ３３では、サーボ信号に基づいて光ピックアップ装置２３を制御する制御信号を生成し、モータドライバ２７に出力する。
【００４８】
前記バッファマネージャ３７では、バッファＲＡＭ３４へのデータの入出力を管理し、蓄積されたデータ量が所定の値になると、ＣＰＵ４０に通知する。
【００４９】
前記モータドライバ２７では、サーボコントローラ３３からの制御信号及びＣＰＵ４０の指示に基づいて、光ピックアップ装置２３及びスピンドルモータ２２を制御する。
【００５０】
前記エンコーダ２５では、ＣＰＵ４０の指示に基づいて、バッファＲＡＭ３４に蓄積されているデータをバッファマネージャ３７を介して取り出し、エラー訂正コードの付加などを行ない、光ディスク１５への書き込みデータを作成する。そして、エンコーダ２５では、ＣＰＵ４０からの指示に基づいて、再生信号処理回路２８からの同期信号に同期して、書き込みデータをレーザコントロール回路２４に出力する。
【００５１】
前記レーザコントロール回路２４では、エンコーダ２５からの書き込みデータ及びＣＰＵ４０の指示に基づいて、光ピックアップ装置２３からのレーザ光出力を制御する。
【００５２】
前記インターフェース３８は、ホスト５０（例えば、パーソナルコンピュータ）との双方向の通信インターフェースであり、ＡＴＡＰＩ（ＡＴ　Ａｔｔａｃｈｍｅｎｔ　Ｐａｃｋｅｔ　Ｉｎｔｅｒｆａｃｅ）及びＳＣＳＩ（Ｓｍａｌｌ　Ｃｏｍｐｕｔｅｒ　Ｓｙｓｔｅｍ　Ｉｎｔｅｒｆａｃｅ）等の標準インターフェースに準拠している。
【００５３】
前記ＲＯＭ３９には、ＣＰＵ４０にて解読可能なコードで記述された後述するＤＶＤ＋ＲＷ規格に準拠した記録方式での記録を制限する制限情報を記録するプログラム（以下、「制限情報記録処理プログラム」という）を含むプログラムが格納されている。
【００５４】
ＣＰＵ４０は、ＲＯＭ３９に格納されている上記プログラムに従って上記各部の動作を制御するとともに、制御に必要なデータ等を一時的にＲＡＭ４１に保存する。なお、光ディスク装置２０に電源が投入されると、ＲＯＭ３９に格納されている上記プログラムは、ＣＰＵ４０のメインメモリ（図示省略）にロードされる。
【００５５】
ＤＶＤ＋ＭＲＷ規格に準拠している光ディスク１５の記録領域は、一例として図２（Ａ）に示されるように、内周側から外周側に向かって３つの領域（リードイン領域ＬＩＡ、データ領域ＤＺＡ、及びリードアウト領域ＬＯＡ）に分けられる。なお、実際の光ディスク１５のトラックはスパイラル状であるが、図２では便宜上、トラックを直線状で示し、紙面左側を光ディスク１５の内周側、紙面右側を光ディスク１５の外周側としている。
【００５６】
前記リードイン領域ＬＩＡ内には、フォーマットに関する情報や欠陥管理情報などが記録されるメインテーブルエリア（Ｍａｉｎ　Ｔａｂｌｅ　Ａｒｅａ、以下「ＭＴＡ」という）と呼ばれる領域が存在している。
【００５７】
さらにリードイン領域ＬＩＡ内には、フォーマットに関する情報が記録されるフォーマッティング・ディスク・コントロール・ブロック（Ｆｏｒｍａｔｔｉｎｇ　Ｄｉｓｃ　Ｃｏｎｔｒｏｌ　Ｂｌｏｃｋ、以下「ＦＤＣＢ」という）と呼ばれる１６セクタの領域が存在している。このＦＤＣＢの最初のセクタには、図３に示されるように、４バイトのコンテントディスクリプタ（ＣｏｎｔｅｎｔＤｅｓｃｒｉｐｔｏｒ）、４バイトのアンノウン・コンテントディスクリプタ・アクションズ（Ｕｎｋｎｏｗｎ　Ｃｏｎｔｅｎｔ　Ｄｅｓｃｒｉｐｔｏｒ　Ａｃｔｉｏｎｓ、以下「ＵＣＤＡ」という）、３２バイトのドライブＩＤ（Ｄｒｉｖｅ　ＩＤ）、及び２００８バイトのコンテントディスクリプタ・スペシフィック（Ｃｏｎｔｅｎｔ　Ｄｅｓｃｒｉｐｔｏｒ　Ｓｐｅｃｉｆｉｃ）から構成されるデータが記録される。続く９セクタは、フォーマッティング・ビットマップ領域であり、物理セクタ毎の記録状態が記録される。なお、残る６セクタは未使用領域であり、すべて「０」が記録される。
【００５８】
前記コンテントディスクリプタには、コンテントディスクリプタ・スペシフィックに記録されている情報を特定するためのＩＤ情報がアスキーコードで記録される。前記ＵＣＤＡには、ドライブ装置がコンテントディスクリプタのＩＤ情報をサポートしていない場合に制限すべき処理項目を含む制限情報がビットマップ形式で記録される。この制限情報には、データ領域への記録に関する制限情報、ブロックデータ情報のユーザへの通知に関する制限情報、フォーマットに関する制限情報、及びブロックデータの内容変更に関する制限情報などがあり、それぞれ所定のビットに対応している。ＤＶＤ＋ＭＲＷ規格では、ビット０がデータ領域への記録に関する制限情報に対応し、ビット１がブロックデータ情報のユーザへの通知に関する制限情報に対応し、ビット２がフォーマットに関する制限情報に対応し、ビット３がブロックデータの内容変更に関する制限情報に対応している。そして、ビットが「１」であれば対応する処理が禁止される。なお、ビット４からビット３１までは未使用ビットである。
【００５９】
前記ドライブＩＤには、ＦＤＣＢの記録に用いられたドライブ装置を特定するための情報が記録される。前記コンテントディスクリプタ・スペシフィックには、フォーマット状態に関する情報（以下、便宜上「フォーマット状態情報」と略述する）などが記録される。ＤＶＤ＋ＲＷ規格では、フォーマット状態情報はバイト４４（Ｄ４４）のビット７とビット６に記録される。ビット７とビット６がいずれも「０」のときは、未フォーマットを意味し、ビット７が「０」でビット６が「１」のときは、フォーマット途中を意味し、ビット７が「１」でビット６が「０」のときは、フォーマット完了を意味する。なお、ＦＤＣＢに関しては、ＤＶＤ＋ＭＲＷ規格はＤＶＤ＋ＲＷ規格とほぼ同じである。
【００６０】
前記データ領域ＤＺＡには、ユーザデータが記録されるユーザデータ領域ＵＤＡだけでなく、ジェネラル・アプリケーション・エリア（Ｇｅｎｅｒａｌ　Ａｐｐｌｉｃａｔｉｏｎ　Ａｒｅａ、以下「ＧＡＡ」という）、スペア領域１（Ｓｐａｒｅ　Ａｒｅａ　１、以下「ＳＡ１」という）、スペア領域２（Ｓｐａｒｅ　Ａｒｅａ　２、以下「ＳＡ２」という）及びセカンダリテーブルエリア（Ｓｅｃｏｎｄａｒｙ　Ｔａｂｌｅ　Ａｒｅａ、以下「ＳＴＡ」という）と呼ばれる領域が存在している。ＧＡＡは、マウントレニア規格に対応していることを示す情報などが記録される領域である。このＧＡＡは、光ディスク１５が従来ドライブ装置にセットされたときに、専用のドライバ（以下「ＭＲＷドライバ」という）によって読み出され、マウントレニア規格に対応していることを識別するために用いられる。ＧＡＡへの情報の記録はホスト５０からの指示に応じて行われる。ＳＡ１及びＳＡ２はそれぞれユーザデータ領域ＵＤＡにおける欠陥領域の交替領域である。そして、ＳＴＡはＭＴＡと同じ内容が記録される領域である。
【００６１】
次に、前述のようにして構成された光ディスク装置２０が、ホスト５０からＤＶＤ＋ＭＲＷ規格でのフォーマット要求のコマンド（以下「ＭＲＷフォーマットコマンド」という）を受信したときの処理（以下、便宜上「ＭＲＷフォーマット処理」という）について図４及び図５を用いて説明する。図４及び図５のフローチャートは、ＣＰＵ４０によって実行される一連の処理アルゴリズムに対応している。ブランクディスクに対してホスト５０からＭＲＷフォーマットコマンドを受信すると、図４のフローチャートに対応するプログラムの先頭アドレスがＣＰＵ４０のプログラムカウンタにセットされ、ＭＲＷフォーマット処理がスタートする。なお、光ディスク１５はブランクディスクであるものとする。また、ホスト５０との通信は割り込み処理で行われるものとする。
【００６２】
最初のステップ４０１では、ＭＲＷフォーマット処理で用いられる各種フラグに「０」をセットして初期化するとともに、ＲＡＭ４１上にＦＤＣＢのデータ構造に対応した領域（以下、便宜上「ＲＡＭデータ領域」という）を確保する。そして、ＦＤＣＢのコンテントディスクリプタに対応したＲＡＭデータ領域に「ＭＲＷ」のアスキーコードをＩＤ情報としてセットする。なお、ＩＤ情報にはバージョン番号が付加されることになっており、ここでは一例として「００Ｈ」（Ｈは１６進数であることを示す符号である）を付加するものとする。
【００６３】
次のステップ４０３では、ＦＤＣＢのＵＤＣＡに対応したＲＡＭデータ領域に制限情報として「データ記録の禁止」及び「フォーマットの許可」をセットする。ここでは、ビット０を「１」、ビット２を「０」にセットする。なお、ビット１は「０」をセットする。また、ビット３はデフォルト（＝「１」）のままとする。
【００６４】
次のステップ４０５では、ＦＤＣＢのコンテントディスクリプタ・スペシフィックに対応したＲＡＭデータ領域に、フォーマット状態情報として「フォーマット完了」をセットする。ここでは、バイト４４（Ｄ４４）のビット７に「１」をセットするとともに、ビット６に「０」をセットする。
【００６５】
次のステップ４０７では、ＲＡＭデータ領域内のデータを、光ディスク１５のＦＤＣＢ領域に記録する。また、その他の情報もリードイン領域に記録する。なお、ＦＤＣＢ領域に記録されたブロックデータは、コンテントディスクリプタが「ＦＤＣ」ではないので、もはやＦＤＣＢではない。
【００６６】
次のステップ４０９では、バックグランドフォーマット処理を行う図５のサブルーチンの最初のステップ５０１に移行する。
【００６７】
このステップ５０１では、ホスト５０に対して記録及び再生要求の受け付け許可を通知する。
【００６８】
次のステップ５０３では、光ディスク１５の排出要求があるか否かを判断する。なお、ホスト５０から排出要求のコマンドを受信した場合に、割り込み処理にて排出要求有りのフラグに「１」がセットされるようになっている。ここで、排出要求有りのフラグに「１」がセットされていなければ、ステップ５０３での判断は否定され、ステップ５０５に移行する。
【００６９】
このステップ５０５では、フォーマットが完了しているか否かをチェックする。フォーマットが完了しているか否かは、ユーザデータ領域ＵＤＡ内における未記録領域の有無によって判断され、未記録領域が存在すれば、フォーマットは未完了であると判断される。ここでは、光ディスク１５はブランクディスクであるため、ステップ５０５での判断は否定され、ステップ５０７に移行する。
【００７０】
このステップ５０７では、ホスト５０からの記録要求又は再生要求の有無を判断する。ホスト５０から記録を要求するコマンド（Ｗｒｉｔｅ　Ｃｏｍｍａｎｄ）又は再生を要求するコマンド（Ｒｅａｄ　Ｃｏｍｍａｎｄ）を受信すると、割り込み処理にて受信フラグに「１」がセットされるようになっている。受信フラグに「１」がセットされていなければ、ステップ５０７での判断は否定され、ステップ５０９に移行する。
【００７１】
このステップ５０９では、フォーマットを実施する。すなわち、ユーザデータ領域ＵＤＡ内の未記録部分に例えば１６セクタ分のダミーデータを記録する。そして、ステップ５０３に戻る。
【００７２】
以下、ステップ５０３、ステップ５０５及びステップ５０７のいずれかでの判断が肯定されるまで、ステップ５０３→５０５→５０７→５０９の処理、判断を繰り返す。これにより、フォーマットが進行する。
【００７３】
一方、ステップ５０７において、受信フラグに「１」がセットされていれば、ステップ５０７での判断は肯定され、受信フラグを「０」にリセットした後、ステップ５１１に移行する。
【００７４】
このステップ５１１では、フォーマットを中断する。
【００７５】
次のステップ５１３では、受信したコマンドを解析し、ホスト５０からの要求が記録要求であるか再生要求であるかを判断する。ここで、ホスト５０からの要求が記録要求であれば、ステップ５１３での判断は肯定され、ステップ５１５に移行する。
【００７６】
このステップ５１５では、ホスト５０から受信したユーザデータをユーザデータ領域ＵＤＡ内の指定された領域に記録する。なお、光ディスク装置２０における記録処理の詳細については後述する。ユーザデータの記録が終了すると、ステップ５０３に戻る。
【００７７】
一方、ステップ５１３において、ホスト５０からの要求が再生要求であれば、ステップ５１３での判断は否定され、ステップ５１７に移行する。
【００７８】
このステップ５１７では、ホスト５０から指定された領域に記録されているユーザデータを再生し、ホスト５０に転送する。なお、光ディスク装置２０における再生処理の詳細については後述する。ホスト５０から指定されたユーザデータの再生が終了すると、ステップ５０３に戻る。
【００７９】
なお、ステップ５０３において、排出要求有りのフラグに「１」がセットされていれば、ステップ５０３での判断は肯定され、排出要求有りのフラグを「０」にリセットした後、ステップ５１９に移行する。
【００８０】
このステップ５１９では、フォーマットを中断する。
【００８１】
次のステップ５２１では、フォーマット状態情報などをＭＴＡに記録する。ここでは、フォーマット状態情報として「フォーマット途中」が記録される。従って、ＦＤＣＢ領域に記録されているフォーマット状態情報とは異なる情報が記録されることとなる。また、セクタ毎の記録状態に関する情報もＭＴＡに記録される。
【００８２】
次のステップ５２３では、ＭＴＡの内容をＳＴＡにコピーする。ここでは、フォーマットが完了していないため、一例として図２（Ｂ）に示されるように、ＳＴＡはダミーデータ及びユーザデータのうちで最外周にあるデータの最終アドレス（Ｌａｓｔ　Ｗｒｉｔｔｅｎ　Ａｄｄｒｅｓｓ、以下「ＬＷＡ」という）に続くアドレスから記録される。
【００８３】
次のステップ５２５では、ＳＴＡに続いて、一時的なリードアウト（Ｔｅｍｐｏｒａｒｙ　Ｌｅａｄ　Ｏｕｔ、以下「ＴＬＯ」という）を記録する。なお、ユーザデータ領域ＵＤＡ内において、ＴＬＯよりも内周側に未記録領域が存在するときは、その未記録領域にダミーデータが記録される。これにより、ＤＶＤ−ＲＯＭとの互換性を保つことが可能となる。
【００８４】
次のステップ５２７では、不図示のディスク入排出系に光ディスク１５の排出を指示する。そして、バックグランドフォーマット処理のサブルーチンからリターンする。
【００８５】
また、ステップ５０５において、フォーマットが完了していれば、ステップ５０５での判断は肯定され、ステップ５２９に移行する。なお、ダミーデータの記録がすべて終了すると、その記録領域を再生し、ダミーデータの記録品質をチェック（ベリファイチェック）する。その結果、記録品質が所定の条件を満足しない場合には、その記録領域は欠陥領域であるとしてＭＴＡにその旨を記録する。
【００８６】
このステップ５２９では、フォーマット状態情報として「フォーマット完了」をＭＴＡに記録する。
【００８７】
次のステップ５３１では、ＭＴＡの内容をＳＴＡにコピーする。ここでは、フォーマットが完了しているため、一例として図２（Ａ）に示されるように、ＳＴＡはデータ領域ＤＺＡの最外周領域に記録される。そして、バックグランドフォーマット処理のサブルーチンからリターンする。
【００８８】
図４のステップ４０９では、バックグランドフォーマット処理のサブルーチンからリターンすると、ＭＲＷフォーマット処理を終了する。
【００８９】
続いて、上記バックグランドフォーマット処理の途中で排出された光ディスク１５が、再度光ディスク装置２０にロードされ、ホスト５０からＭＲＷフォーマットコマンドを受信したときの、光ディスク装置２０における処理動作について図６を用いて説明する。図６のフローチャートは、ＣＰＵ４０によって実行される一連の処理アルゴリズムに対応している。ブランクディスク以外の光ディスクに対してホスト５０からＭＲＷフォーマットコマンドを受信すると、図６のフローチャートに対応するプログラムの先頭アドレスがＣＰＵ４０のプログラムカウンタにセットされ、再フォーマット処理がスタートする。
【００９０】
最初のステップ５５１では、光ディスク１５のＭＴＡ又はＳＴＡの領域に記録されている情報を読み込み、ＭＴＡ情報としてＲＡＭ４１に保存する。そして、そのＭＴＡ情報からフォーマット状態情報を抽出する。
【００９１】
次のステップ５５３では、抽出されたフォーマット状態情報に基づいて、フォーマットが完了しているか否かを判断する。ここでは、「フォーマット途中」が記録されているので、ステップ５５３での判断は否定され、ステップ５５５に移行する。
【００９２】
このステップ５５５では、ＲＡＭ４１に保存されているＭＴＡ情報に基づいて、ＴＬＯの位置を取得し、フォーマットの開始アドレスとする。
【００９３】
次のステップ５５７では、上記バックグランドフォーマット処理と同様にして、バックグランドフォーマット処理が行われる。そして、バックグランドフォーマット処理が終了すると、再フォーマット処理を終了する。
【００９４】
一方、ステップ５５３において、フォーマットが完了していた場合には、ステップ５５３での判断は肯定され、ステップ５５９に移行する。
【００９５】
このステップ５５９では、フォーマットが完了していることを示すエラー情報をホスト５０に通知する。そして、再フォーマット処理を終了する。
【００９６】
次に、光ディスク装置２０における記録処理について説明する。
【００９７】
ＣＰＵ４０は、指定された記録速度に基づいてスピンドルモータ２２の回転を制御するための制御信号をモータドライバ２７に出力するとともに、ホスト５０から記録を要求するコマンドを受信した旨を再生信号処理回路２８に通知する。また、ＣＰＵ４０は、ホスト５０から受信したユーザデータをバッファマネージャ３７を介してバッファＲＡＭ３４に蓄積する。
【００９８】
再生信号処理回路２８は、光ディスク１５の回転が所定の線速度に達すると、光ピックアップ装置２３の受光器からの出力信号に基づいてフォーカスエラー信号及びトラックエラー信号を検出し、サーボコントローラ３３に出力する。サーボコントローラ３３は、再生信号処理回路２８からのフォーカスエラー信号及びトラックエラー信号に基づいて、モータドライバ２７を介して光ピックアップ装置２３のフォーカシングアクチュエータ及びトラッキングアクチュエータを駆動し、フォーカスずれ及びトラックずれを補正する。また、再生信号処理回路２８は、光ピックアップ装置２３の受光器からの出力信号に基づいてＡＤＩＰ情報を取得し、ＣＰＵ４０に通知する。
【００９９】
ＣＰＵ４０は、ＭＴＡに記録されている欠陥管理情報を参照し、指定された書き込み領域に欠陥領域が含まれるか否かをチェックする。ここで、指定された書き込み領域に欠陥領域が含まれるときには、ＣＰＵ４０は対応する交替領域を書き込み領域とする。そして、ＣＰＵ４０は、ＡＤＩＰ情報に基づいて書き込み開始地点に光ピックアップ装置２３が位置するように光ピックアップ装置２３のシークモータを制御する信号をモータドライバ２７に出力する。
【０１００】
ＣＰＵ４０は、バッファマネージャ３７からバッファＲＡＭ３４に蓄積されたデータ量が所定の値を超えたとの通知を受け取ると、エンコーダ２５に書き込みデータの作成を指示する。また、ＣＰＵ４０は、ＡＤＩＰ情報に基づいて光ピックアップ装置２３の位置が書き込み開始地点であると判断すると、エンコーダ２５に通知する。そして、エンコーダ２５は、レーザコントロール回路２４及び光ピックアップ装置２３を介して、書き込みデータを光ディスク１５に記録する。
【０１０１】
書き込みデータの記録が終了すると、ＣＰＵ４０は、書き込みデータが記録された領域を再生し、書き込みデータの記録品質をチェック（ベリファイチェック）する。その結果、記録品質が所定の条件を満足しない場合には、その記録領域は欠陥領域であるとしてＭＴＡにその旨を記録するとともに、その記録領域に記録された書き込みデータを対応する交替領域に記録する。
【０１０２】
次に、光ディスク装置２０における再生処理について説明する。
【０１０３】
ＣＰＵ４０は、再生速度に基づいてスピンドルモータ２２の回転を制御するための制御信号をモータドライバ２７に出力するとともに、再生を要求するコマンドを受信した旨を再生信号処理回路２８に通知する。
【０１０４】
再生信号処理回路２８は、前記記録の場合と同様に、ＡＤＩＰ情報をＣＰＵ４０に通知するとともに、フォーカスずれ及びトラックずれを補正する。
【０１０５】
ＣＰＵ４０は、ＭＴＡに記録されている欠陥管理情報を参照し、指定された読み出し領域に欠陥領域が含まれるか否かをチェックする。ここで、指定された読み出し領域に欠陥領域が含まれるときには、ＣＰＵ４０は対応する交替領域を読み出し領域とする。そして、ＣＰＵ４０は、ＡＤＩＰ情報に基づいて読み出し開始地点に光ピックアップ装置２３が位置するように光ピックアップ装置２３のシークモータを制御する信号をモータドライバ２７に出力する。ＣＰＵ４０は、ＡＤＩＰ情報に基づいて光ピックアップ装置２３の位置が読み出し開始地点であると判断すると、再生信号処理回路２８に通知する。
【０１０６】
そして、再生信号処理回路２８は、光ピックアップ装置２３の出力信号に基づいてＲＦ信号を検出し、誤り訂正処理等を行った後、バッファＲＡＭ３４に蓄積する。
【０１０７】
バッファマネージャ３７は、バッファＲＡＭ３４に蓄積された再生データがセクタデータとして揃ったときに、インターフェース３８を介してホスト５０に転送する。
【０１０８】
なお、再生信号処理回路２８は、記録処理及び再生処理が終了するまで、上述した如く、光ピックアップ装置２３の受光器からの出力信号に基づいてフォーカスエラー信号及びトラックエラー信号を検出し、サーボコントローラ３３及びモータドライバ２７を介してフォーカスずれ及びトラックずれを随時補正する。
【０１０９】
ここで、前述の如くしてＭＲＷフォーマット処理が行われた光ディスク１５が、ＤＶＤ＋ＭＲＷ規格をサポートしていない不図示の光ディスク装置（以下、便宜上「従来ディスク装置」という）にロードされた場合について説明する。この従来ディスク装置は、ＤＶＤ＋ＲＷ規格をサポートしているものとする。また、この従来ディスク装置を制御する不図示のホストには前述したＭＲＷドライバは組み込まれていないものとする。
【０１１０】
先ず、従来ディスク装置が光ディスク１５にユーザデータの記録を要求するコマンドをホストから受信したときの処理（以下「記録要求受信処理」という）について図７のフローチャートを用いて説明する。図７のフローチャートは、従来ディスク装置を構成する不図示のＣＰＵによって実行される一連の処理アルゴリズムに対応している。
【０１１１】
最初のステップ６０１では、光ディスク１５のリードイン領域ＬＩＡ内のＦＤＣＢの領域からブロックデータを読み出す。
【０１１２】
次のステップ６０３では、読み出したブロックデータからコンテントディスクリプタを抽出する。
【０１１３】
次のステップ６０５では、抽出したコンテントディスクリプタが「ＦＤＣ」であるか否かを判断する。ここでは、前述した如く、コンテントディスクリプタは「ＭＲＷ」であるため、ステップ６０５での判断は否定されステップ６０７に移行する。
【０１１４】
このステップ６０７では、「ＭＲＷ」はサポートしていないコンテントディスクリプタであるため、読み出したブロックデータを識別できないブロックデータであると判断し、そのブロックデータからＵＤＣＡを抽出する。
【０１１５】
次のステップ６０９では、抽出したＵＤＣＡに基づいて、データの記録が禁止されているか否かを判断する。ここでは、前述の如く、データの記録は禁止されているために、ステップ６０９での判断は肯定され、ステップ６１１に移行する。
【０１１６】
このステップ６１１では、データの記録が禁止されていることを示すエラー情報をホストに通知し、ユーザデータを記録せずに記録要求受信処理を終了する。
【０１１７】
なお、光ディスク１５以外の光ディスクが従来ディスク装置にロードされたときに、ステップ６０９において、データの記録が禁止されていなければ、ステップ６０９での判断は否定されステップ６１３に移行する。そして、このステップ６１３では、ユーザデータの記録処理が行われ、その記録処理が終了すると記録要求受信処理を終了する。また、ステップ６０５において、抽出したコンテントディスクリプタが「ＦＤＣ」であれば、ステップ６０５での判断は肯定され、ステップ６１３に移行する。すなわち、ユーザデータの記録処理が行われる。
【０１１８】
次に、従来ディスク装置がフォーマットを要求するコマンドをホストから受信したときの処理（以下「フォーマット要求受信処理」という）について図８のフローチャートを用いて説明する。図８のフローチャートは、従来ディスク装置を構成する不図示のＣＰＵによって実行される一連の処理アルゴリズムに対応している。
【０１１９】
最初のステップ７０１では、光ディスク１５のリードイン領域ＬＩＡ内のＦＤＣＢの領域からブロックデータを読み出す。
【０１２０】
次のステップ７０３では、読み出されたブロックデータからコンテントディスクリプタを抽出する。
【０１２１】
次のステップ７０５では、抽出したコンテントディスクリプタが「ＦＤＣ」であるか否かを判断する。ここでは、前述の如く、コンテントディスクリプタは「ＭＲＷ」であるため、ステップ７０５での判断は否定され、ステップ７０７に移行する。
【０１２２】
このステップ７０７では、「ＭＲＷ」はサポートしていないコンテントディスクリプタであるため、読み出したブロックデータを識別できないブロックデータであると判断し、そのブロックデータからＵＤＣＡを抽出する。
【０１２３】
次のステップ７０９では、抽出したＵＤＣＡに基づいて、フォーマットが禁止されているか否かを判断する。ここでは、前述の如く、フォーマットは許可されているために、ステップ７０９での判断は否定され、ステップ７１３に移行する。
【０１２４】
次のステップ７１３では、ホストからのフォーマット要求が新規フォーマットの要求であるか否かを判断する。新規フォーマットの要求でなければ、ステップ７１３での判断は否定され、ステップ７１５に移行する。
【０１２５】
このステップ７１５では、フォーマット状態情報に基づいて、フォーマットの途中であるか否かを判断する。ここでは、ＦＤＣＢを認識できないため、フォーマット状態情報を取得することができない。従って、ステップ７１５での判断は否定され、ステップ７１７に移行する。
【０１２６】
このステップ７１７では、フォーマットができないことを示すエラー情報をホストに通知し、フォーマットを行わずにフォーマット要求受信処理を終了する。
【０１２７】
一方、ステップ７１３において、ホストからのフォーマット要求が新規フォーマットの要求であれば、ステップ７１３での判断は肯定され、ステップ７１９に移行する。
【０１２８】
このステップ７１９では、ＤＶＤ＋ＲＷ規格に準拠したバックグランドフォーマット処理が行われる。これにより、リードイン領域ＬＩＡ内のＭＴＡ領域は消去され、ＦＤＣＢ領域にはコンテントディスクリプタが「ＦＤＣ」のブロックデータが記録される。そして、コンテントディスクリプタ・スペシフィックには正しいフォーマット状態情報などが記録される。すなわち、光ディスク１５はＤＶＤ＋ＲＷ規格に準拠した情報記録媒体となる。そして、光ディスク１５に記録されていたユーザデータは実質的に消去される。バックグランドフォーマット処理が終了すると、フォーマット要求受信処理を終了する。
【０１２９】
なお、光ディスク１５以外の光ディスクがロードされた場合に、ステップ７０９において、フォーマットが禁止されていれば、ステップ７０９での判断は肯定され、ステップ７１７に移行する。また、ステップ７０５において、抽出したコンテントディスクリプタが「ＦＤＣ」であれば、ステップ７０５での判断は肯定され、ステップ７１１に移行する。このステップ７１１では、ＦＤＣＢ内のフォーマット状態情報を抽出する。そして、フォーマットの途中であれば、ステップ７１５での判断は肯定され、ステップ７１９に移行する。
【０１３０】
以上の説明から明らかなように、本実施形態に係る光ディスク装置では、ＣＰＵ４０及び該ＣＰＵ４０によって実行されるプログラムによって、情報記録装置の通信制御手段、制限情報記録手段及び完了情報記録手段が実現されている。しかしながら、本発明がこれに限定されるものではないことは勿論である。すなわち、上記実施形態は一例に過ぎず、上記のＣＰＵ４０によるプログラムに従う処理によって実現した各手段の少なくとも一部をハードウェアによって構成することとしても良いし、あるいは各手段の全てをハードウェアによって構成することとしても良い。
【０１３１】
また、本実施形態では、ＲＯＭ３９にインストールされているプログラムのうち、図４のフローチャートで示される処理に対応するプログラムによって前記制限情報記録処理プログラムが構成されている。
【０１３２】
さらに、本実施形態では、図４のステップ４０１、ステップ４０３及びステップ４０７の処理によって、本発明に係る記録方法の第１工程が実施され、図４のステップ４０５及びステップ４０７の処理によって第２工程が実施されている。
【０１３３】
以上説明したように、本実施形態に係る光ディスク装置によると、コンテントディスクリプタに「ＭＲＷ」がセットされ、ＵＣＤＡに「データ記録禁止」がセットされたブロックデータを光ディスク１５のＦＤＣＢの領域に記録している。これにより、光ディスク１５がロードされた従来ディスク装置にホストからユーザデータの記録要求のコマンドが送信されても、ユーザデータの記録は禁止されるため、ユーザデータが欠陥領域に記録されて欠陥管理情報の内容と実際とが一致しなくなることを防止することができる。従って、結果的にＤＶＤ＋ＭＲＷ規格に準拠した記録方式で記録された情報を保護することが可能となる。
【０１３４】
また、本実施形態に係る光ディスク装置によると、コンテントディスクリプタに「ＭＲＷ」がセットされたブロックデータを光ディスク１５のＦＤＣＢの領域に記録しているため、光ディスク１５がロードされた従来ディスク装置では、フォーマット状態情報を認識することができなくなり、その結果、フォーマットを要求するコマンドがホストから送信されても、フォーマットの再開は禁止されることとなる。これにより、欠陥管理情報がダミーデータで上書きされることを防止することができる。
【０１３５】
さらに、本実施形態に係る光ディスク装置によると、コンテントディスクリプタに「ＭＲＷ」がセットされ、ＵＣＤＡに「フォーマット許可」がセットされたブロックデータを光ディスク１５のＦＤＣＢの領域に記録している。これにより、光ディスク１５がロードされた従来ディスク装置に新規フォーマットを要求するコマンドがホストから送信されると、再フォーマットが行われ、光ディスク１５をＤＶＤ＋ＲＷ規格に準拠した光ディスクに変更することが可能となる。
【０１３６】
また、本実施形態に係る光ディスクによると、光ディスク装置２０によってＦＤＣＢの領域にＤＶＤ＋ＲＷ規格に準拠した記録方式での記録を制限するための制限情報が記録されているために、ＤＶＤ＋ＭＲＷ規格に準拠した記録方式で記録されたデータを保護することが可能となる。
【０１３７】
なお、上記実施形態では、ＦＤＣＢの領域に記録するブロックデータのコンテントディスクリプタに、「ＭＲＷ」のアスキーコードをセットする場合について説明したが、これに限らず、従来ディスク装置でサポートしていないＩＤ情報であれば良い。
【０１３８】
また、上記実施形態では、ＦＤＣＢの領域に記録するブロックデータのコンテントディスクリプタ・スペシフィックに、フォーマット状態情報として「フォーマット完了」を記録する場合について説明したが、従来ディスク装置でコンテントディスクリプタのチェック（図８のステップ７０５）が必ず行われるときには、「フォーマット完了」を記録しなくても良い。すなわち、図４のステップ４０５での処理を省略しても良い。この場合に、コンテントディスクリプタが「ＦＤＣ」でないと、従来ディスク装置ではフォーマット状態情報を検出することができず、図８のステップ７１５での判断は必ず否定されるからである。
【０１３９】
なお、上記実施形態の光ディスク装置では、制限情報記録処理プログラムは、ＲＯＭ３９内に記録されているが、他の情報記録媒体（ＣＤ−ＲＯＭ、光磁気ディスク、フラッシュメモリ、フレキシブルディスク等）に記録されていても良い。この場合には、各情報記録媒体に対応するドライブ装置を付加し、各ドライブ装置から制限情報記録処理プログラムをインストールすることとなる。要するに、制限情報記録処理プログラムがＣＰＵ４０のメインメモリにロードされれば良い。
【０１４０】
また、上記実施形態では、光ディスク１５がＤＶＤ系である場合について説明したが、これに限らず、例えばＣＤ系であっても良い。
【０１４１】
なお、上記実施形態では、ＦＤＣＢのＵＤＣＡに対応したＲＡＭデータ領域に制限情報として「データ記録の禁止」及び「フォーマットの許可」をセットする（図４のステップ４０３）場合について説明したが、これに限らず、新規フォーマットも禁止する場合には、「フォーマットの禁止」をセットしても良い。
【０１４２】
【発明の効果】
本発明に係る記録方法及び記録媒体によれば、特定の記録方式で記録媒体に記録された情報を保護することができるという効果がある。
【０１４３】
また、本発明に係るプログラム及び情報記録媒体によれば、情報記録装置の制御用コンピュータにて実行され、特定の記録方式で記録媒体に記録された情報を保護することができるという効果がある。
【０１４４】
また、本発明に係る情報記録装置によれば、特定の記録方式で記録媒体に記録された情報を保護することができるという効果がある。
【図面の簡単な説明】
【図１】本発明の一実施形態の光ディスク装置の構成を示すブロック図である。
【図２】図２（Ａ）及び図２（Ｂ）は、それぞれＤＶＤ＋ＭＲＷの記録領域の構成を説明するための図である。
【図３】ＦＤＣＢのデータ構成を説明するための図である。
【図４】本発明に係る制御情報記録処理を説明するためのフローチャートである。
【図５】ＤＶＤ＋ＭＲＷ規格に準拠したバックグランドフォーマット処理を説明するためのフローチャートである。
【図６】本発明に係る光ディスク装置から一旦排出された光ディスクが、再度ロードされ、ＤＶＤ＋ＭＲＷ規格に準拠したフォーマット要求をホストから受信したときの処理を説明するためのフローチャートである。
【図７】ユーザデータの記録要求をホストから受信したときの従来ディスク装置における処理を説明するためのフローチャートである。
【図８】フォーマット要求をホストから受信したときの従来ディスク装置における処理を説明するためのフローチャートである。
【符号の説明】
１５…光ディスク（記録媒体）、２０…光ディスク装置（情報記録装置）、３９…ＲＯＭ（情報記録媒体）、４０…ＣＰＵ（通信制御手段、制限情報記録手段、完了情報記録手段）。
【図１】
2004005842.tif 000003
【図２】
2004005842.tif 000004
【図３】
2004005842.tif 000005
【図４】
2004005842.tif 000006
【図５】
2004005842.tif 000007
【図６】
2004005842.tif 000008
【図７】
2004005842.tif 000009
【図８】
2004005842.tif 000010